(57)【要約】【課題】開封するまでは医薬品と共に内部に封入されている添付文書を開封後にも紛失することなく保管し得るようにした医薬品の収納容器構造を提供する。【解決手段】医薬品を収納するための収納容器１の側面３所要位置に、幅方向へ延在すると共に、破断することにより、添付文書を差込み保管するための保管ポケットが形成されるようにしたミシン目状の刻み目８を設ける。【選択図】図１
0003104311.tif 000002
【実用新案登録請求の範囲】
【請求項１】
医薬品を収納するための収納容器の所要位置に、破断することにより添付文書を差込み保管するためのスリット状の保管ポケットが形成されるようにした刻み目を設けたことを特徴とする医薬品の収納容器構造。
【請求項２】
刻み目はミシン目状に形成されている請求項１記載の医薬品の収納容器構造。
【請求項３】
刻み目は側面幅方向の中央部側において、下方へ向けて凸形状に形成されている請求項１又は２記載の医薬品の収納容器構造。
【請求項４】
刻み目の両端部は、側面の幅方向両端部若しくは両端部近傍に形成された縦向きの小スリットに繋がっている請求項１、２又は３記載の医薬品の収納容器構造。
【考案の詳細な説明】
【技術分野】
【０００１】
本考案は医薬品の収納容器構造に関するものである。
【背景技術】
【０００２】
市販の医薬品は、薬事法の規定上、薬の用法・用量や使用上の注意等を記載した説明文が添付文書又は収納容器のどこかに記載されている必要があり、一般的には添付文書にこの説明文が記載され、折畳んで医薬品と共に収納容器内に収納して包装するようになっている。
【０００３】
又、医薬品の需要者は、収納容器の上蓋を開いて、医薬品及び添付文書を取出し、添付文書を読んだうえ医薬品を使用し、使用後は添付文書は医薬品と共に収納容器内に収納するか、或は収納容器をしまう場所に一緒にしまったりして保管している。しかし、添付文書は紛失されることも多く、必要な場合にこれを読むことができないことも多々ある。
【０００４】
そこで、添付文書を収納容器と共に保管することができるよう、従来から種々の収納容器が提案されており、例えば、実開昭４９−３９３１号公報に示すごときものがある。この公報に示された容器は、商品について購入時に充分な知識を得るために、添付文書を外部より取出し得るよう、紙箱の一部に内部に通じる孔を設け、この孔に添付文書を挿入するようにしている。
【考案の開示】
【考案が解決しようとする課題】
【０００５】
しかしながら、医薬品の収納容器は、薬事法上、一般の需要者に渡るまでは、密封されていなければならず、上記公報の容器は、医薬品に対しては適用することはできない。又、添付文書の一部が収納容器の外部に露出した状態では、医薬品が需要者に渡るまでの間の流通ルートにおいて、添付文書が破損したり紛失したりする虞がある。
【０００６】
本考案は、斯かる実情に鑑み、一般の需要者が開封するまでは医薬品と共に内部に封入されている添付文書を開封後にも紛失することなく確実に保管し得るようにした医薬品の収納容器構造を提供することを目的としてなしたものである。
【課題を解決するための手段】
【０００７】
請求項１の医薬品の収納容器構造は、医薬品を収納するための収納容器の所要位置に、破断することにより添付文書を差込み保管するためのスリット状の保管ポケットが形成されるようにした刻み目を設けたものである。
【０００８】
請求項２の医薬品の収納容器構造においては、刻み目はミシン目状に形成されており、請求項３においては、刻み目は側面幅方向の中央部側において、下方へ向けて凸形状に形成されており、請求項４においては、刻み目の両端部は、側面の幅方向両端部若しくは両端部近傍に形成された縦向きの小スリットに繋がっているものである。
【考案の効果】
【０００９】
本考案の請求項１〜４記載の医薬品の収納容器構造によれば、添付文書を紛失することなく、医薬品と共に確実に保管することができ、又、刻み目は幅方向中央部で下方に凸形状に形成されているため、容易に破断されてスリット状の保管ポケットが形成され、更に、刻み目の両端は小スリットに繋がっているため、側面幅方向中央において、刻み目の中央部上方を押圧し、スリット状の保管ポケットを形成させる際に、収納容器が必要以上に破断されることはない、という優れた効果を奏し得る。
【考案を実施するための最良の形態】
【００１０】
以下、本考案の実施の形態を図示例と共に説明する。
図１〜図４は本考案を実施する形態の一例である。図１は本考案に係る医薬品の収納容器の実施の形態の一例の斜視図であり、密封状態を示す斜視図、図２は図１に示す収納容器を開封した状態を示す斜視図、図３は図１に示す収納容器を開封して添付文書を取出した後に上蓋を閉止し、且つ、側面に保管ポケットを形成させた状態を示す斜視図、図４は添付文書を収納容器の側部に形成した保管ポケットに挿入した状態を示す斜視図である。
【００１１】
本実施の形態例における医薬品の収納容器１は、例えばボール紙製或はプラスチック製の直方体形状であって、略正方形状の底面２と、底面２の外周部に立設されて隣合う辺が一体的に接続された４つの側面３と、４つの側面３の上辺部に設けられた折畳み可能な４枚の上蓋４ａ，４ｂ，４ｃ，４ｄが設けられている。
【００１２】
而して、上蓋４ａの幅及び突出長さは、何れも底面２と略同一寸法であり、上蓋４ａが接続された側面３と対向する側面３の上辺部には、幅が底面２と略同一寸法で且つ上蓋４ａよりも突出長さの短い上蓋４ｂが接続されている。
【００１３】
又、上蓋４ａ，４ｂが接続された側面３に対し隣合う側面３のうち、ひとつの側面３の上辺部には、上蓋４ｃが接続され、残りの側面３の上辺部には、上蓋４ｃと対向するよう上蓋４ｄが接続されている。上蓋４ｃ，４ｄの幅は何れも底面２の幅と略同一寸法であるが、突出長さは底面２の寸法よりも小さく形成されている。又、上蓋４ｃの突出方向先端部には、舌片状の係止片５が形成されており、上蓋４ｄの突出方向先端部には、開封後に上蓋４ｃ，４ｄを折畳んだ際に係止片５が挿入されるスリット状の被係止部６が形成されている。
【００１４】
上蓋４ｄ，４ｃ，４ｂ，４ａは、収納容器１が未開封状態で密封されている際には、下方から上方へ向けて上蓋４ｄ，４ｃ，４ｂ，４ａの順に配置されており、上蓋４ｂは接着剤により上蓋４ａの裏面に接着されている。
【００１５】
又、上蓋４ｂが接続された側面３の上辺部中央部には、下方へ向けて円弧状で且つミシン目状の刻み目７が刻設されており、開封時に、刻み目７と上辺部とにより包囲された部分７ａを指により押圧して収納容器１内に押込むと共に、指を最下部の上蓋４ｄの下方へ挿入して上蓋４ｄ，４ｃ，４ｂ，４ａを上方へ押上げることにより、上蓋４ｄ，４ｃ，４ｂ，４ａを開封し得るようになっている。而して、上蓋４ｄ，４ｃ，４ｂ，４ａを開封した際には、上蓋４ｂは側面３の上辺部で切断されて、上蓋４ａの裏面に付着したまま、開くようになっている（図２参照）。
【００１６】
収納容器１の側面３のうち所定の側面３（図示例では、上辺部に上蓋４ｃが接続された側面）には、高さ方向中間部よりも若干下方において、側面３を幅方向へ横断するよう、ミシン目状の刻み目８が刻設されている。刻み目８は側面３の幅方向両端部から中央部に向けて若干下り勾配に形成され、側面３幅方向中央部においては、下方へ向けて凸形状に形成されている。又、刻み目８の両端は、隣合う側面３，３間の境界縁部に形成した小スリット９に繋がっている。
【００１７】
なお、図中、７ｂは部分７ａを押圧して収納容器１内に押込むことにより側面３幅方向上部に形成される開口部、８ａは刻み目８を破断することにより形成されたスリット状の保管ポケットである。
【００１８】
次に、上記図示例の作動を説明する。
本図示例においては、収納容器１が開封されていない未開封の場合は、図１に示すように、上蓋４ｄ，４ｃ，４ｂ，４ａは収納容器１が密封状態を保持するよう、閉止されており、刻み目７，８は破断されていない状態になっている。
【００１９】
医薬品の使用のために収納容器１を開封する際には、需要者は指により、側面３における刻み目７と上辺部とにより包囲された部分７ａを押圧する。そうすると、刻み目７が破断して当該部分７ａは収納容器１内に押込まれ、指は上蓋４ｄの下方へ挿入される。そこで、需要者は、上蓋４ｄ，４ｃ，４ｂ，４ａを上方へ押上げ、上蓋４ｄ，４ｃ，４ｂ，４ａを開封する。この場合、上蓋４ｂは上蓋４ａの下面に接着されているため、上蓋４ｂは側面３の上辺部で切断されて、上蓋４ａと共に開封される（図２参照）。
【００２０】
上蓋４ｄ，４ｃ，４ｂ，４ａが開封されたら、開封者は医薬品の収納されたビン或は被包、及び添付文書１０を収納容器１内から取出し、添付文書１０を読んで医薬品の服用の仕方を確認したうえ適宜服用する。又、使用後は、ビンや使用しなかった被包を収納容器１内に収納し、上蓋４が接着されている上蓋４ａ，４ｄ，４ｃの順に折畳んで、上蓋４ａ，４ｄ，４ｃを閉止させ、上蓋４ｃの係止片５をスリット状の被係止部６に挿入して上蓋４ｄの裏面に係止させる（図３参照）。
【００２１】
又、刻み目８の上側中央において側面３を押圧すると、刻み目８が切断されてスリット状の保管ポケット８ａが形成される（図３参照）。このため、折畳んだ添付文書１０の下端側をこの保管ポケット８ａに差込んで収納容器１内へ挿入する（図４参照）。このため、添付文書１０を紛失することなく、医薬品と共に確実に保管することができる。
【００２２】
又、刻み目８は幅方向中央部で下方に凸状に形成されているため、刻み目８は容易に破断されて保管ポケット８ａが形成される。更に、刻み目８の両端は小スリット９に繋がっているため、側面３幅方向中央において、刻み目８の中央部上方を押圧し、保管ポケット８ａを形成させる際に、収納容器１が必要以上に破断されることはない。
【００２３】
なお、本考案の医薬品の収納容器構造においては、上蓋は図示した例に限らず、どのような構造のものに対しても適用することができること、その他、本考案の要旨を逸脱しない範囲内において種々変更を加え得ることは勿論である。
【図面の簡単な説明】
【００２４】
【図１】本考案に係る医薬品の収納容器の実施の形態の一例の斜視図であり、密封状態を示す斜視図である。
【図２】図１に示す収納容器を開封した状態を示す斜視図である。
【図３】図１に示す収納容器を開封して添付文書を取出した後に上蓋を閉止し、且つ、側面に保管ポケットを形成させた状態を示す斜視図である。
【図４】添付文書を側面に形成した保管ポケットに挿入した状態を示す斜視図である。
【符号の説明】
【００２５】
１  収納容器
３  側面
８  刻み目
８ａ        保管ポケット
９  小スリット
１０  添付文書
【図１】
0003104311.tif 000003
【図２】
0003104311.tif 000004
【図３】
0003104311.tif 000005
【図４】
0003104311.tif 000006